(57)【要約】【課題】体毛処理ヘッドがその自重による影響を受けにくく体毛処理ヘッドが所定の傾きを維持できてどのような肌当て角度でも肌に当てやすいと共に本体グリップ部のどの角度に対しても体毛処理ヘッドの回動がスムーズになる除毛装置を提供する。【解決手段】体毛を剃ったり、体毛を抜いたり、体毛を切断したりして体毛を除毛する体毛処理ヘッドＡと、手で持つ本体グリップ２とを備え、本体グリップ２に対して体毛処理ヘッドＡが揺動自在になるように本体グリップ２に体毛処理ヘッドＡを回動自在に連結した除毛器具である。これにおいて、体毛処理ヘッドＡが体毛処理ヘッドＡの回転中心に対して体毛処理ヘッドＡの自重で揺動する力に抗する力を加える重量付加手段を設ける。【選択図】        図１
2006167213.tif 000002
【特許請求の範囲】
【請求項１】
体毛を剃ったり、体毛を抜いたり、体毛を切断したりして体毛を除毛する体毛処理ヘッドと、手で持つ本体グリップとを備え、本体グリップに対して体毛処理ヘッドが揺動自在になるように本体グリップに体毛処理ヘッドを回動自在に連結した除毛器具において、体毛処理ヘッドが体毛処理ヘッドの回転中心に対して体毛処理ヘッドの自重で揺動する力に抗する力を加える重量付加手段を設けたことを特徴とする除毛装置。
【請求項２】
重量付加手段は本体グリップ側に装着したことを特徴とする請求項１記載の除毛装置。
【請求項３】
重量付加手段としての重量付加部材は本体グリップ側に回転自在に装着され、重量付加部材の回転中心に対して重量付加部材の一方側に付加する重量を設けると共に他方側を体毛処理ヘッドに連結したことを特徴とする請求項１または請求項２記載の除毛装置。
【請求項４】
重量付加手段としての重量付加部材は体毛処理ヘッドが揺動する方向と直交する方向で体毛処理ヘッドの側方に設けられたことを特徴とする請求項１乃至請求項３のいずれかに記載の除毛装置。
【請求項５】
体毛処理ヘッド側を上とすると共に本体グリップ側を下としたとき、重量付加手段としての重量付加部材は体毛処理ヘッドの下方に設けたことを特徴とする請求項１乃至請求項４のいずれかに記載の除毛装置。
【請求項６】
体毛処理ヘッドの回転中心の回りの体毛処理ヘッドの重量による回転モーメント力に対し、重量付加手段としての重量付加部材により体毛処理ヘッドの回転モーメントに抗して加える回転モーメント力を同等または小さくしたことを特徴とする請求項１乃至請求項５のいずれかに記載の除毛装置。
【請求項７】
重量付加手段としての重量付加部材を本体グリップ側に設け、重量付加部材からの力をリンクを介して伝達するようにしたことを特徴とする請求項１乃至請求項６のいずれかに記載の除毛装置。
【請求項８】
体毛処理ヘッドは除毛のために駆動するモータを有していることを特徴とする請求項１乃至請求項７のいずれかに記載の除毛装置。
【請求項９】
除毛装置は電気かみそりであって、体毛処理ヘッドは毛を切断するための外刃と外刃に内接して往復動する内刃からなる刃を有するシェービングヘッドであり、シェービングヘッドは内刃の往復動方向の端部にシェービングヘッドの回動軸支部を設けると共に重量付加手段としての重量付加部材の回動軸支部を本体グリップの支持台に設けたことを特徴とする請求項１乃至請求項８のいずれかに記載の除毛装置。
【請求項１０】
重量付加手段としての重量付加部材を体毛処理ヘッドに連結する部分を、体毛処理ヘッドの重心に対して、体毛処理ヘッドの回動支点と反対側に設けたことを特徴とする請求項１乃至請求項９のいずれかに記載の除毛装置。
【発明の詳細な説明】
【技術分野】
【０００１】
本発明は毛を剃る電気かみそり、毛を抜く脱毛装置、毛を切断する理容器具等の除毛装置に関し、詳しくは除毛する体毛処理ヘッドが本体グリップに対して前後方向或いは左右方向に揺動することにより毛を剃ったり、脱毛したり、毛を切断したりするようにした除毛装置に関するものである。
【背景技術】
【０００２】
従来、電気かみそりでは早剃りの性能向上や肌当たり、フィット感の向上を目的として、シェービングヘッドに剃り部を設け、手で握る本体グリップに対してシェービングヘッドが揺動するように動くことにより、肌に密着できるようにした技術は数多く提案されている（例えば、特許文献１、特許文献２参照）。
【０００３】
特許文献１では、首振り式シェービングヘッドを備えた電気かみそりが記載されており、剃り部を備えたシェービングヘッドを本体グリップに対して回転自在に装着することで本体グリップに対してシェービングヘッドが揺動して首振りするようになっている。このときシェービングヘッド側を上すると共に本体グリップ側を下としたとき、シェービングヘッドの上部となる頂部近傍が回転中心になるようにシェービングヘッドを回転自在に装着してあり、シェービングヘッドの重心が回転中心より下に位置している。かかる特許文献１のものでシェービングヘッドが無負荷、つまり外力が加わらない状態では、頬などを髭剃りするために本体グリップを水平にした時、シェービングヘッドがその自重で重心が下に位置するように垂れ下がり、シェービングヘッドの主な剃り部である頂部を頬に当てにくいという問題があり、またシェービングヘッドの頂部の刃面を当てるために、頬に本体グリップを押し付けてシェービングヘッドを水平にしようとすると、シェービングヘッドの下部に自重による回転モーメントがかかり、シェービングヘッドの頂部が頬から浮いたり、シェービングヘッドの頂部の押し付けが不足したりして肌への追従が悪いという問題がある。
【０００４】
特許文献２は上記のような自重による垂れ下がりにより頬に当てにくいことを改善するために初期位置に戻す手段を設けたものである。これは複数の外刃部を備えたシェービングヘッドの左右の上端付近に回転軸を設け、この回転軸を中心にシェービングヘッドを前後に回動自在にすることで多様な剃り方に対してもシェービングヘッドが肌に追従するようにし、さらに弾性変形可能な弾性体としてねじりコイルばねを設けて、無負荷つまり外力が加わらない状態において、シェービングヘッドを初期位置に保持するヘッド戻し手段を備えていて、シェービングヘッドの自重に関係なく、本体グリップに対してシェビングヘッドを初期位置に戻すようにしている。そのためにシェービングヘッドの頂部を頬や鼻下に当てるときに本体グリップを水平にしてもシェービングヘッドが本体グリップに対して初期位置に維持されているので、シェービングヘッドの頂部を当て易く、使い勝手がよいものである。
【０００５】
しかし特許文献２では、シェービングヘッドの自重による回転軸回りのモーメントに対抗する以上の回転モーメント力を必要とし、そのためにねじりコイルばねに大きな弾性力が必要になり、ねじりコイルばねの剛性が高くなってしまう。つまり、本体グリップを水平にしたときにシェービングヘッドを戻るための回転モーメントが最も大きく、それ以上のねじりコイルばねの強いばね力が必要になるので、肌にシェービングヘッドを当てて髭を剃るときにシェービングヘッドが回転軸に対して回動しにくくなり、肌の凹凸に追従しにくいという問題がある。そのために複数の外刃部が肌に当たらず、短く剃れなかったり、剃り残しをしてしまうこととなる。
【０００６】
さらに、回転軸に対して回動するための回転モーメントが大きいために、顎下から口元の方向に剃るときシェービングヘッドの複数の外刃部を追従させるために本体グリップにより力を加えて肌に強く押し付けなければならなく、シェービングヘッドを動かしにくく、シェービングヘッドが肌にスムーズに滑らないという問題がある。
【０００７】
また、上記問題のために戻すためのねじりコイルばねを弱くしたり、ねじりコイルばねを取り外すと、頬や鼻下や口元を剃るとき本体グリップを水平にすると、シェービングヘッドの自重による回転モーメントによりシェービングヘッドの複数の外刃部の下方側の外刃部から肌に強く荷重がかかり、頂部である上方側の外刃部が弱くしか当たらず、短く剃れなかったり、肌から離れて剃り残すという問題がある。
【特許文献１】特開昭６４−５６０８９号公報
【特許文献２】特開平６−３３５５７５号公報
【発明の開示】
【発明が解決しようとする課題】
【０００８】
本発明は上記の従来の問題点に鑑みて発明したものであって、体毛処理ヘッドがその自重による影響を受けにくく体毛処理ヘッドが所定の傾きを維持できてどのような肌当て角度でも肌に当てやすいと共に本体グリップのどの角度に対しても体毛処理ヘッドの回動がスムーズになり、肌の凹凸に対しても体毛処理ヘッドを小さな回転モーメントで可動することができて体毛処理ヘッドの刃部を肌にスムーズに追従させることができ、円滑且つ確実に除毛できる除毛器具を提供することを課題とするものである。
【０００９】
すなわち、体毛処理ヘッドの回動において、その自重の影響が少なくて、体毛処理ヘッドの刃部をスムーズに追従させることができる除毛装置を提供することを課題とするものである。
【課題を解決するための手段】
【００１０】
上記課題を解決するために本発明の請求項１の除毛装置は、体毛を剃ったり、体毛を抜いたり、体毛を切断したりして体毛を除毛する体毛処理ヘッドと、手で持つ本体グリップとを備え、本体グリップに対して体毛処理ヘッドが揺動自在になるように本体グリップに体毛処理ヘッドを回動自在に連結した除毛器具において、体毛処理ヘッドが体毛処理ヘッドの回転中心に対して体毛処理ヘッドの自重で揺動する力に抗する力を加える重量付加手段を設けたことを特徴とする。
【００１１】
上記構成によれば、体毛処理ヘッドは自重の影響を受けずまたは少なくでき、どの体毛処理ヘッドの傾きにおいてもその角度で重量的な釣り合いを維持できると共にどのグリップ角度でも体毛処理ヘッドが自重による影響を受けにくくにスムーズに回動できるようになり、体毛処理ヘッドの刃部を肌にスムーズに追従させることができ、円滑且つ確実に除毛できる。
【００１２】
また本発明の請求項２の除毛装置は、請求項１において、重量付加手段は本体グリップ側に装着したことを特徴とする。重量付加手段を本体グリップ側に装着することにより重量付加手段が設けやすくなり、構造が簡単で安価にできる。
【００１３】
また本発明の請求項３の除毛装置は、請求項１または請求項２において、重量付加手段としての重量付加部材は本体グリップ側に回転自在に装着され、重量付加部材の回転中心に対して重量付加部材の一方側に付加する重量を設けると共に他方側を体毛処理ヘッドに連結したことを特徴とする。この場合、体毛処理ヘッドが回転中心を中心にいずれの方向に回動しても重量付加部材が追従し、体毛処理ヘッドの刃部を肌にスムーズに追従させることができる。
【００１４】
また本発明の請求項４の除毛装置は、請求項１乃至請求項３のいずれかにおいて、重量付加手段としての重量付加部材は体毛処理ヘッドが揺動する方向と直交する方向で体毛処理ヘッドの側方に設けられたことを特徴とする。体毛処理ヘッドの側方に重量付加部材を配置することで重量付加部材を設けても体毛処理ヘッドと本体グリップとを近付けることができ、除毛器具の長さを短くすることができる。
【００１５】
また本発明の請求項５の除毛装置は、請求項１乃至請求項４のいずれかにおいて、体毛処理ヘッド側を上とすると共に本体グリップ側を下としたとき、重量付加手段としての重量付加部材は体毛処理ヘッドの下方に設けたことを特徴とする。この場合、体毛処理ヘッドが揺動する方向と直交する方向である除毛器具の幅を小さくすることができる。
【００１６】
また本発明の請求項６の除毛装置は、請求項１乃至請求項５のいずれかにおいて、体毛処理ヘッドの回転中心の回りの体毛処理ヘッドの重量による回転モーメント力に対し、重量付加手段としての重量付加部材により体毛処理ヘッドの回転モーメントに抗して加える回転モーメント力を同等または小さくしたことを特徴とする。この場合、重量付加部材の相対的な重量を小さくでき、重りも小さくできて除毛装置を小型化することができる。
【００１７】
また本発明の請求項７の除毛装置は、請求項１乃至請求項６のいずれかにおいて、重量付加手段としての重量付加部材を本体グリップ側に設け、重量付加部材からの力をリンクを介して伝達するようにしたことを特徴とする。重量付加部材を設けても重量付加部材が体毛処理ヘッドの回動の邪魔にならず、体毛処理ヘッドをスムーズに回動でき、体毛処理ヘッドの重心を本体グリップに近付けることができ、持ち易く、動かしやすく、使い勝手がよい。
【００１８】
また本発明の請求項８の除毛装置は、請求項１乃至請求項７のいずれかにおいて、体毛処理ヘッドは除毛のために駆動するモータを有していることを特徴とする。この場合、モータから体毛処理ヘッドの刃部への駆動伝達構造による体毛処理ヘッドの回動に制限がなく、体毛処理ヘッドの回動角度を大きく取れて肌に追従しやすくなる。
【００１９】
また本発明の請求項９の除毛装置は、請求項１乃至請求項８のいずれかにおいて、除毛装置は電気かみそりであって、体毛処理ヘッドは毛を切断するための外刃と外刃に内接して往復動する内刃からなる刃を有するシェービングヘッドであり、シェービングヘッドは内刃の往復動方向の端部にシェービングヘッドの回動軸支部を設けると共に重量付加手段としての重量付加部材の回動軸支部を本体グリップの支持台に設けたことを特徴とする。この場合、頬や顎下から口元や鼻下などの髭を剃るときの複雑な本体グリップの傾動においてもシェービングヘッドの刃部が容易に追従しやすく、短く剃れて髭の剃り残しが少なくなる。
【００２０】
また本発明の請求項１０の除毛装置は、請求項１乃至請求項９のいずれかにおいて、重量付加手段としての重量付加部材を体毛処理ヘッドに連結する部分を、体毛処理ヘッドの重心に対して、体毛処理ヘッドの回動支点と反対側に設けたことを特徴とする。この場合、重量付加部材が体毛処理ヘッドを支える力を小さくすることができ、除毛装置を小型にできる。
【発明の効果】
【００２１】
本発明は叙述の如く重量付加手段を設けているので、体毛処理ヘッドは自重の影響を受けずまたは少なくでき、どの体毛処理ヘッドの傾きにおいてもその角度で釣り合いを維持できると共にどのグリップ角度でも体毛処理ヘッドが自重による影響を受けにくくスムーズに回動できるようになり、体毛処理ヘッドの刃部を肌にスムーズに追従させることができ、円滑且つ確実に除毛できるという効果を奏し得るものである。
【発明を実施するための最良の形態】
【００２２】
以下、本発明を添付図面に示す実施形態に基いて説明する。図１乃至図８に本発明の第1の実施の形態が示してある。この場合、除毛装置は電気かみそりであり、体毛処理ヘッドＡはシェービングヘッド１である。電気かみそりは、図１、図２に示すように外周部を手で把持するグリップ部となった細長の本体グリップ２の一端部に髭を剃るための刃面Ｃを有するシェービングヘッド１を配設して構成してある。ここで、本体グリップ２の長手方向の一端部のシェービングヘッド１を方の端部側を今仮に「上」、長手方向の他端部を「下」と定義すると、本体グリップ２の上側の端部にシェービングヘッド１を配設してある。
【００２３】
まず、シェービングヘッド１について図３に基いて説明する。シェービングヘッド１はリニアモータよりなるモータ４、内刃５、外刃ブッロク６、モータ４を収納保持するヘッドケース７、ヘッドケースカバー８から構成してあり、リニアモータよりなるモータ４の振動方向（つまり、内刃５の往復移動方向）を今仮に左右方向と定義した場合、左右方向の振動がその先端の駆動子９によって内刃５に伝えらえて、内刃５が左右方向に往復駆動されて、外刃ブロック６の外刃１０に設けた刃穴に入った髭をカットするようになっている。また外刃フレーム１１は外刃１０を保持すると共に、ヘッドケースカバー８に着脱自在に取り付けられるようになっている。なお、以下の説明では、上記の定義による上下方向、左右方向のいずれにも直交する方向を前後方向として説明する。
【００２４】
リニアモータよりなるモータ４はヘッドケース７の上開口部から内部に挿入して内装され、モータ４をヘッドケース７内に内装した状態でヘッドケース７の上開口部にヘッドケースカバー８を被せてねじ（図示せず）にて固定してある。モータ４の下側はヘッドケース７の下方からねじ（図示せず）を螺入することでヘッドケース７に固定してある。このようにヘッドケース７内にモータ４を内装してヘッドケース７とヘッドケースカバー８とで挟まれた状態で固定することで、ヘッドケース７、ヘッドケースカバー８よりなる一つの箱体内にモータを収納した駆動ブロックを構成してある。
【００２５】
図２に示すように、モータ４の下側から延びているリード線１５はモータ４を駆動させるためにその先端部が本体グリップ２内の駆動回路１６に結合されるものであり、リード線１５がヘッドケース７に設けた孔を通って下側に露出した状態でヘッド支持台３の穴４０を通り、本体グリップ２内の駆動回路１６に連結してある。
【００２６】
外刃ブロック６には３つの外刃１０が前後に並べて装着してあり、これらの外刃１０は前から後にかけて順にネット刃１０ａ、スリット刃１０ｂ、ネット刃１０ａで構成してある。これらの外刃１０はいずれも独立してフロート可能となるように、枠形状の保持部材（図示省略）により保持してある。また内刃５は刃５ａ、スリット内刃５ｂ、刃５ａで構成され、これらがネット刃１０ａ、スリット刃１０ｂ、ネット刃１０ａに対して摺接して駆動子９により往復駆動されるようになっている。そして、本実施形態では上記ネット刃１０ａ、スリット刃１０ｂ、ネット刃１０ａにより電気かみそりとしての刃面Ｃが構成されるものであり、従って、本実施の形態においてはシェービングヘッド１の頂面である上面部に刃面Ｃが存在することになる。
【００２７】
次に本体グリップ２について述べる。本体グリップ２の外殻を構成する本体グリップケース２６は外周部がグリップ部となるものであり、この本体グリップケース２６は前本体グリップケース２６ａと、後本体グリップケース２６ｂとに分割してあり、前後本体グリップケース２６ａ，２６ｂを結合した状態で本体グリップケース２６の下部が密封された箱体となっており、この本体グリップケース２６の下部の箱体となった部分の内部に電池２７、駆動回路１６、スイッチ釦２８と、これらを保持する基台２９を内装して固定してある。前後の本体グリップケース２６ａ，２６ｂはこれらの内装部品を組み込んだ後に後面側からねじ（図示せす）により固定される。
【００２８】
本体グリップケース２６の下部の箱体形状に密封された部分の上面部より上側、つまり、本体グリップケース２６の上部は上方が開口した凹所となっており、この凹所にはシェービングヘッド１を支持するためのヘッド支持台３を配置して固定してある。かかるヘッド支持台３は本体グリップ２に対してばねにより上下移動自在に取り付けられるように構成してもよい。
【００２９】
ヘッド支持台３は左右両端からそれぞれシェービングヘッド１の左右両側にオーバーラップする起立片３２を突設したＵ字状をしており、左右の起立片３２の上端部の左右２箇所に孔３１を設けてある。ヘッドケースカバー８には前面から見て左右２箇所に回動軸８１が設けてあり、この左右の一対の回動軸８１はヘッド支持台３の孔３１にそれぞれ回転自在に遊嵌してあり、本体グリップ２に対してシェービングヘッド１を前後方向に回動自在になるように連結してある。このように構成された電気かみそりの使用にあたっては、本体グリップ２のグリップ部を手で掴んでシェービングヘッド１の刃面Ｃを肌に押し当てて髭剃りを行うものである。
【００３０】
次に本発明の重量付加手段の構成について説明する。本体グリップ２に固定されたヘッド支持台３の両側には全体形状がＵ字状になるように起立片３２を突設してあり、起立片３２の外側に突起３３を突設してある。重量付加手段を構成する重量付加部材１００は釣り合いのための重量を持つ重り１０２を一端に設けてあり、中央に回動孔１０１を有しており、さらに他端に長溝１０３を設けてある。重量付加部材１００の回動孔１０１はヘッド支持台３の起立片３２の突起３３に回転自在に嵌合されており、重量付加部材１００の長溝１０３は本体グリップ２に対して回動自在になっているシェービングヘッド１のヘッドケース７に設けたボスリブ７１に係合させて連結してある。
【００３１】
かかる重量付加部材１００に設けた釣り合いのための重量を持つ重り１０２は比重の大きい金属材料で構成し、重量付加部材１００の腕部１０４は比重の軽い成形材料で構成して、重量付加部材１００の体積が少なくとも重量差を大きくできるように釣り合いのための重量を設けて小型にすることが好ましい。また重り１０２と腕部１０４を同一材料で構成し、回動孔１０１に対して長溝１０３と反対側に重り１０２に相当するように偏重量を設けるようにしてもよい。この場合、部品数が減り、安価に重量付加部材１００を構成できる。
【００３２】
図に示す例では重量付加部材１００をシェービングヘッド１の左右の両側にそれぞれ設けているが、シェービングヘッド１の左右の両側のうち片方だけに設けてもよい。このようにすると、さらに部品点数がさらに少なくなり、安価になる。このように重量付加部材１００を片側に設ける場合にはシェービングヘッド１の左右のどちらの位置に設けてもよい。
【００３３】
図７は本体グリップ２を水平にして手で持ったときの状態を示す概略図であり、これにより重量付加部材１００の作用及び動作を説明する。この際、説明を簡単にするため左右両側の２個の重量付加部材１００を１個と仮定して説明する。
【００３４】
前記のように構成された重量付加部材１００は、突起３３を回動軸として回動するものであり、突起３３の中心Ｐを通る鉛直線方向より重り１０２が離れた時にその重り１０２の重力による重量Ｗ（偏心重量でも同じ）と離れた距離Ｌ１により回転モーメントＭの偶力を発生し、重量付加部材１００の長溝１０３の内側面よりヘッドケース７のボスリブ７１に前記重量Ｗと反対方向の力Ｆが中心Ｐとボスリブ７１との距離Ｌ２に応じた大きさで作用するものである。この場合、長溝１０３とボスリブ７１との係合部の摩擦を除外したときＦ＝ＷＬ１÷Ｌ２＝ＷＬ１／Ｌ２となる。
【００３５】
またヘッドケースカバー８の回動軸８１がヘッド支持台３の起立片３２の孔３１に回動自在に連結されており、本体グリップ２に対して回動軸８１を中心にシェービングヘッド１を回動自在に連結している。このとき、シェービングヘッド１はその重心Ｇに重力Ｗ０を有し、前記回動軸８１の中心点を通る鉛直線より重心Ｇまでの距離をＬ０１とすると、シェービングヘッド１は回動軸８１回りの回転モーメントＭ０１＝Ｗ０×Ｌ０１により重量付加部材１００が無ければ下方に回転しまうことになる。しかし本発明の重量付加部材１００による前記力Ｆによりシェービングヘッド１には重力Ｗ０と反対方向に力を及ぼし、回動軸８１とボスリブ７１の距離をＬ０２とすると、前記回転モーメントＭ０１と反対方向の回転モーメントＭ０２＝Ｆ×Ｌ０２がシェービングヘッド１に作用し、シェービングヘッド１はそのまま傾きの状態が維持されることになる。なお、重量付加部材１００がない場合、シェービングヘッド１が図７の矢印Ｘ方向に回動して図７の想像線に示す状態になる。
【００３６】
この時、２個の重量付加部材１００の２個の重り１０２の重量Ｗは次の式で表される。
釣り合いの式よりＭ０１＝Ｗ０×Ｌ０１＝Ｍ０２＝Ｆ×Ｌ０２
Ｆ＝Ｗ０×Ｌ０１÷Ｌ０２＝ＷＬ１／Ｌ２となり、
力Ｆ＝ＷＬ１÷Ｌ２＝ＷＬ１／Ｌ２により、
２個の重り１０２の重力による重量Ｗ＝Ｗ０×Ｌ０１×Ｌ２÷Ｌ０２÷Ｌ１となり、
この時シェービングヘッド１が重力に影響されずに傾きを維持するものである。
【００３７】
しかし２個の重りの重量Ｗが上記より小さくても、シェービングヘッド１の重量を２個の重り１０２により、回転モーメントＭ０１と反対の回転モーメントで支えることになり、シェービングヘッド１は回動軸８１の回りにスムーズな回動をすることができるものである。
【００３８】
上記のように２個の重り１０２の重量Ｗを上記のように同等または小さく設ける方が電気かみそりの全体重量を小さく、小型にできるものである。ここで同等といってもシェービングヘッド１や重量付加部材１００の回動のために摩擦があるので、２０％程度上記２個の重り１０２の重量を大きくしてもよいものである。
【００３９】
図８はシェービングヘッド１と本体グリップ２とがそれぞれ別の傾き状態で手に持った時の概略図を示している。この時も重量付加部材１００により、シェービングヘッド１が重力に影響されずに傾きを維持するものである。
この時の釣り合いはＷ０×Ｌ０１′＝Ｆ′×Ｌ０２′となり、
Ｆ′＝ＷＬ１′／Ｌ２′となり、
２個の重り１０２の重力による重量Ｗ＝Ｗ０×Ｌ０１′×Ｌ２′÷Ｌ０２′÷Ｌ１となる。
【００４０】
このように本発明の重量付加部材１００はシェービングヘッド１が本体グリップ２に対して刃面Ｃに近い回動軸８１の回りに回動自在になっているにも拘わらず、シェービングヘッド１が重力に影響されずに傾きを維持できるものであり、本体グリップ２に対して回動軸８１の回りに重力に影響されずスムーズに回動でき、特に頬や顎下から口元への肌追従性がよく、複数の刃部を備えてもそれぞれが均等な押し付けをできて、短く剃れて、髭の剃り残しが少なくなるものである。
【００４１】
また前述からもわかるように、重り１０２の重量Ｗは、離れた距離Ｌ１、距離Ｌ２、重力Ｗ０、距離Ｌ０１、距離Ｌ０２により自由に設定できるもので、特に距離Ｌ２を小さくして、距離Ｌ０２を大きく設定すると、重り１０２の重量は小さくでき、電気かみそりがコンパクトになる。
【００４２】
また上記例では重量付加部材１００に長溝１０３、シェービングヘッド１にボスリブ７１を設けて長溝１０３とボスリブ７１とを係合するものについて述べたが、これと逆に重量付加部材１００の方にボスリブ７１を設けると共にシェービングヘッド１に長溝１０３を設けてボスリブ７１と長溝１０３とを係合するようにしてもよい。また長溝１０３の代わりに長孔を設けてもよい。また上記例のように重り１０２の重量Ｗと体積を小さくするために重心Ｇの位置に対してボスリブ７１を刃面Ｃと反対側に設けた方がよい。
【００４３】
次に本発明の第２の実施の形態について図９乃至図１１に基いて説明する。本例も第１の実施の形態の例と基本的に同じであり、本体グリップ２に対してシェービングヘッド１を回動自在に支持する構造だけが異なる。
【００４４】
まず、シェービングヘッド１の第１の実施の形態の例との相違点を図１０、図１１に基いて説明する。第１の実施の形態の例のヘッドケースカバー８の代わりにヘッドケースカバー８００と２個のリンクアーム８５０を備えている。ヘッドケースカバー８００には２個の溝８０１を備え、一対のリンクアーム８５０の軸部８５１が溝８０１に嵌め込んであり、溝８０１を中心に一対のリンクアーム８５０を回動自在に支持してある。溝８０１に軸部８５１を嵌め込んだときフックで抜け止めするように係合させてある。リンクアーム８５０の上端には丸ボス８５２を設けてある。
【００４５】
モータ４の下側はヘッドケース７の下方からねじ（図示せず）を螺入することでヘッドケース７に固定されている。このようにヘッドケース７内にモータ４を内装してヘッドケース７とヘッドケースカバー８００とで挟まれた状態で固定することで、ヘッドケース７とヘッドケースカバー８００とからなる一つの箱体に内にモータ４を内装した駆動ブロックを構成してある。
【００４６】
次に本体グリップ２について述べる。本体グリップ２にはシェービングヘッド１を支持するためのヘッド支持台３００が配置されて固定されている。ヘッド支持台３００は左右両端からそれぞれシェービングヘッド１の左右に沿う起立片３２を突設したＵ字状をしており、左右の起立片３２の上端に左右各２箇所づつ孔３１０を設けてある。ヘッドケースカバー８００に回動自在に装着したリンクアーム８５０の上端の丸ボス８５２が各孔３１０に回転自在に嵌合してリンクアーム８５０が回動自在に連結され、本体グリップ２に対してシェービングヘッド１を回動自在に連結している。
【００４７】
このように第２の実施の形態の例では２つのリンクアーム８５０で本体グリップ２に対してシェービングヘッド１が回動自在なもので、第１の実施の形態のように１点で回動するものでなく、２点で回動するものであり、２個のリンクアーム８５０によりシェービングヘッド１の回動中心となる仮想支点を刃面Ｃに近付けたり、さらに刃面Ｃ側の上方に設けることができてさらにシェービングヘッド１の回動をスムーズにすることができる。
【００４８】
この第２の実施の形態の重量付加手段は第１の実施の形態と同様に構成されている。本体グリップ２に固定されたヘッド支持台３の両側には全体形状がＵ字状になるように起立片３２を突設してあり、起立片３２の外側に突起３３を突設してある。重量付加手段を構成する重量付加部材１００は釣り合いための重量を持つ重り１０２を一端に設けてあり、中央に回動孔１０１を有しており、さらに他端に長溝１０３を設けてある。重量付加部材１００の回動孔１０１はヘッド支持台３の起立片３２の突起３３に回転自在に嵌合されており、重量付加部材１００の長溝１０３は本体グリップ２に対して回動自在になっているシェービングヘッド１のヘッドケース７に設けたボスリブ７１に係合させて連結してある。
【００４９】
そして、この場合も、第１の実施の形態と同様にシェービングヘッド１の重量は２個の重り１０２により、回転モーメントＭ０１と反対の回転モーメントで支えることになり、シェービングヘッド１は丸ボス８５２の回りにスムーズな回動をすることができる。
【００５０】
このように本体グリップ２に対してシェービングヘッド１の回動構造が異なっても本発明の重量付加手段によりシェービングヘッド１が自重の影響を受けず、どのシェービングヘッド１の傾きにおいてもその角度で釣り合いを維持できると共に、どのグリップ角度でもシェービングヘッド１が本体グリップ２に対して自重を影響を受けずにスムーズに回動できるものであり、シェービングヘッド１の刃部を肌にスムーズに追従させることができ、短く剃れて髭の剃り残しを少なくできる。
【００５１】
次に第３の実施の形態を図１２、図１３に基いて説明する。本例も第１の実施の形態と同じであるが、重量付加手段としての重量付加部材１００の配置状態だけが異なる。第１の実施の形態との相違点は重量付加部材１００を取り付ける向きを変えているだけである。ヘッド支持台３の起立片３２に設ける突起３３とシェービングヘッド１に設けるボスリブ７１とはボスリブ７１が上で突起３３が下になる位置関係に設けてあり、重量付加部材１００は重り１０２が下になるように配置して回動孔１０１をボスリブ７１に嵌合してあり、突起３３より上の位置で長溝１０３を突起３３に係合させてある。
【００５２】
図１３に示すように第１の実施の形態と同様に釣り合いの式よりＭ０１＝Ｗ０×Ｌ０１＝Ｍ０２＝Ｆ×ＬＯ２の関係となり、
これによりＦ＝Ｗ０×Ｌ０１÷Ｌ０２＝ＷＬ１／Ｌ２となり、
力Ｆ＝ＷＬ１÷Ｌ２＝ＷＬ１／Ｌ２により、
２個の重り１０２の重力による重量Ｗ＝Ｗ０×Ｌ０１×Ｌ２÷Ｌ０２÷Ｌ１となり、
これにより、シェービングヘッド１が重力に影響されずに傾きを維持するのである。
【００５３】
また第３の実施の形態のようにシェービングヘッド１の下方に重量付加部材の重り１０２を配置することよりシェービングヘッド１の長手方向の長さ（上下方向の高さ）が長くならないので、肌に当て易くて使い勝手がよい。また上記のようにすると、重量付加部材１００の重り１０２と、突起３３と、ボスリブ７１の配置は自由に設定でき、さらに図１３の状態で説明すると、重り１０２や突起３３やボスリブ７１を回動軸８１を通る水平線に対して上下にずらして配置しても同様な効果が得られるものであり、さらに重り１０２と突起３３を回動軸８１を通る水平線に対して斜めに配置しても同様の効果が得られるものである。
【００５４】
次に本発明の第４の実施の形態を図１４、図１５に基いて説明する。本例も第１の実施の形態と基本的に同じであり、重量付加手段としての重量付加部材１１０を設ける状態だけが異なる。つまり、重量付加部材１１０をシェービングヘッド１の下方でヘッド支持台３２０の左右の起立片３２間である内側に設けてある。
【００５５】
ヘッド支持台３２０の左右の起立片３２にそれぞれ孔３２１を設けてあり、ヘッドケース７０にボスリブ７１をシェービングヘッド１の下方の位置で設けてあり、重量付加部材１１０の重り１１２が孔３２１より下方になるように配置し、軸３３０を重量付加部材１１０の回動孔１１１及びヘッド支持台３２０の起立片３２の孔３２１に挿通してヘッド支持台３２０に取り付け、軸３３０に重量付加部材１１０を回転自在に装着してある。また重量付加部材１１０には長溝１１３が設けられており、長溝１１３がボスリブ７１に摺動自在に係合して連結してある。また重量付加部材１１０の重り１１２にはリード線１５を通す長孔１１５を設けてある。
【００５６】
図１７に示すように第１の実施の形態と同様に、釣り合いの式よりＭ０１＝Ｗ０×Ｌ０１＝Ｍ０２＝Ｆ×Ｌ０２となり、
これによりＦ＝Ｗ０×Ｌ０１÷Ｌ０２＝ＷＬ１／Ｌ２となり、
力Ｆ＝ＷＬ１÷Ｌ２＝ＷＬ１／Ｌ２により、
２個の重り１０２の重力による重量Ｗ＝Ｗ０×Ｌ０１×Ｌ２÷Ｌ０２÷Ｌ１となり、
これによりシェービングヘッド１が重力に影響されずに傾きを維持する。
【００５７】
また第４の実施の形態のようにシェービングヘッド１の下方に重量付加部材１１０の重り１１２を配置し、Ｕ字状のヘッド支持台３２０の左右の起立片３２間の内側に重量付加部材１１０を設けたことによりシェービングヘッド１の長手方向の長さ（上下方向の高さ）が長くならないので、肌に当て易く使い勝手がよいものである。さらに回動軸８１の中心点を通る鉛直線より重心Ｇまでの距離Ｌ０１に対して、回動軸８１とボスリブ７１との距離Ｌ０２を大きくすることができ、力Ｆを小さくできるので、重り１０２の重力による重量を小さくでき、重り１０２を小型にでき、電気かみそりを小型にできて使い勝手を向上できる。
【００５８】
また、図１８にはシェービングヘッド１と本体グリップ２がそれぞれ別々の傾きの状態で手に持った時を示しているが、これも第１の実施の形態の図８と同様に、この時も重量付加部材１１０により、シェービングヘッド１が重力に影響されずに傾きを維持するものである。
【００５９】
つまり、図８に示すものと同様に、この時の釣り合いはＷ０×Ｌ０１′＝Ｆ′×Ｌ０２′となり、
Ｆ′＝ＷＬ１′／Ｌ２′となり、
２個の重り１０２の重力による重量Ｗ＝Ｗ０×Ｌ０１′×Ｌ２′÷Ｌ０２′÷Ｌ１′となる。
【００６０】
また第４の実施の形態の例でも重量付加部材１１０の重り１１２と軸３３０とボスリブ７１の配置や形状や部品構成は自由に設定できる。
【００６１】
次に第５の実施の形態について図１９により説明する。本例は第４の実施の形態の例と基本的に同じあるが、シェービングヘッド１の回動軸８１である仮想支点の位置が異なるだけである。つまり、回動軸８１である仮想支点を刃面Ｃより上側に設けてある。この場合も、第４の実施の形態と同様に釣り合いの式が成立し、回動軸８１である仮想支点を刃面Ｃより上側に設けても重力に影響されずに傾きを維持することができて上記と同様の効果がある。
【００６２】
次に第６の実施の形態について図２０、図２１により説明する。本例も第１の実施の形態と基本的に同じであるが、第１の実施の形態ではシェービングヘッド１が前後に回動自在になっていたのに対して第６の実施の形態ではシェービングヘッド１が本体グリップ２に対して左右に回動自在になっている。つまり、シェービングヘッド１が本体グリップ２に対して前後２箇所の回動軸８２により左右方向に回動自在になっている。
【００６３】
重量付加部材１２０はシェービングヘッド１の下方に配置してあり、Ｕ字状のヘッド支持台３５０の両側の起立片３５間の内側に取り付けてある。ヘッド支持台３５０の両側の起立片３５にはそれぞれ孔３５１を設けてあり、シェービングヘッド１のヘッドケース７００にはボスリブ７１０がシェービングヘッド１の下部の位置するように設けてあり、重量付加部材１２０は重り１２２が孔３５１により下になるように配置してあり、軸３５３を起立片３５の軸孔３５１及び重量付加部材１２０の軸孔１２１（破線）に挿通して重量付加部材１２０が軸３５３の回りに回転自在になるように装着してある。重量付加部材１２０の重り１２２と反対の端部には長溝１２３が設けてあり、長溝１２３をボスリブ７１０に摺動自在に係合して重量付加部材１２０とシェービングヘッド１とを連結してある。
【００６４】
このようにシェービングヘッド１が本体グリップ２に対して左右方向に回動自在にしたもので、前記の実施の形態のものと回動方向が異なっていても本発明の重量付加手段としての重量付加部材１２０によりシェービングヘッド１が自重の影響を受けず、どのようなシェービングヘッド１の傾きにおいてもその角度で釣り合いを維持できると共に、どのグリップ角度でもシェービングヘッド１が本体グリップ２に対して自重の影響を受けずにスムーズに回動できるものであり、シェービングヘッド１の刃部を肌にスムーズに追従させることができ、短く剃れて髭の剃り残しを少なくできる。
【００６５】
次に第７の実施の形態について図２２により説明する。本例も上記の実施の形態と基本的に同じであるが、本体グリップ部２に重量付加部材１３０の重り１３２を配置するとき、リンクで伝達するようにしたものである。起立片３２には回動軸３２２を設けてあり、第１リンク１６０の孔１６１を回動軸３２２に回動自在に嵌合してあり、第１リンク１６０の一端の長溝１６２をボスリブ７１に摺動自在に係合してあり、第１リンク１６０の他端にはボスリブ１６３を設けてある。起立片３２または本体グリップ２には回動軸３２３を設けてあり、第２リンク１７０の孔１７１を回動軸３２３に回動自在に嵌合してあり、第２リンク１７０の一端の長溝１７２をボスリブ１６３に摺動自在に係合してあり、第２リンク１７０の他端にはボスリブ１７３を設けてある。本体グリップ２にはボス３２４を設けてあり、重量付加部材１３０の孔１３１をボス３２４に回転自在に嵌合してあり、重量付加部材１３０の一端の長溝１３３をボスリブ１７３に摺動自在に係合してあり、重量付加部材１３の他端には重り１３２を設けてある。
【００６６】
この場合も、第１リンク１６０や第２リンク１７０を介して重量付加部材１３０とシェービングヘッド１とを連繋させることができ、重量付加部材１３０によりシェービングヘッド１が自重の影響を受けず、どのようなシェービングヘッド１の傾きにおいてもその角度で釣り合いを維持できると共に、どのグリップ角度でもシェービングヘッド１が本体グリップ２に対して自重の影響を受けずにスムーズに回動できる。また第１リンク１６０や第２リンク１７０を介して連繋させることにより、重量付加部材１３０をシェービングヘッド１より下方に設けることができてシェービングヘッド１側に重量が偏ることがなく、電気かみそりの重心を本体グリップ２側にすることができ、持ち易く、動かし易く、使い勝手がよい。
【００６７】
なお、上記第１〜第７の実施の形態で、本発明の重量付加手段の形状や、比重の大きい材料や、回動の軸支点や、伝達の長溝（例えば、ボスリブと長溝の構成で凹凸が逆でもよく、また長溝でなくて長孔でもよい。）等は上記例に限定されず、種々のものが考えられ、また取り付け位置なども自由に設定することができる。また本発明の重量付加手段の重りの重量設定は、シェービングヘッド１に釣り合う重量にしなくても、例えば重りを釣り合い重量より小さくしてもよい。このように重りの重量を小さく設定すると、電気かみそりの小型化を図ることができると共にシェービングヘッド１の自重の影響を少なくできる。
【００６８】
さらに上記実施の形態の例では本発明の重量付加手段を有する除毛器具として電気かみそりの例により説明したが、除毛器具としては電気かみそりに限らず、例えば、脱毛装置や頭髪を切断するバリカンのような理容器具や、顔の産毛の切断をするトリマー装置などに適用することができる。つまり、体毛処理ヘッドＡが本体グリップ２に対して回動する除毛器具に適用することができ、これらに重量付加手段を適用することによって体毛処理ヘッドＡが自重の影響を受けずに、スムーズに回動できるものであり、体毛処理ヘッドＡの刃部を肌にスムーズに追従させることができ、同様の効果がある。
【００６９】
次に第８の実施の形態としての理容器具について図２３、図２４により説明する。本例は頭髪を切断する理容器具であるバリカンであるが、前記の実施の形態で述べた電気かみそりと同様に重量付加手段を備えている。本例の場合、本体グリップ２に対して揺動するように回動自在に設けられる体毛処理ヘッドＡはバリカンヘッド１′であり、鋸刃状の固定刃に対して鋸刃状の可動刃を摺接させた切り刃１０′を備えている（本特許出願人が先に出願した特開２００４−２１６０６７号公報参照）。このバリカンヘッド１′にはヘッド支軸３３′を備えており、バリカンヘッド１′の切り刃１０′の摺動方向Ｂと平行な軸線Ｓ回りにスイングするようになっている。ここでヘッド支軸３３′はバリカンヘッド１′のヘッドシェル７′の両内壁に突設され、バリカンヘッド１′のヘッドシェル７′の肌当て面７１′が常時地肌と接するようにバリカンヘッド１′が本体グリップ２に対してバリカンヘッド１′の切り刃１０′の摺動方向と略平行な軸線Ｓ回りに回動するようになっている。つまり、図２３の矢印Ｅに示す前後方向にバリカンヘッド１′がスイングするようになっている。
【００７０】
本発明の重量付加部材１４０はバリカンヘッド１′の下方で本体グリップ２に設けた軸３６１で回動自在に装着してあり、この重量付加部材１４０の一方に重り１４２を有し、他方に設けた長溝１４３がバリカンヘッド１′に設けたボス軸７２０と摺動自在に係合されている。
【００７１】
このようにバリカンヘッド１′を本体グリップ２に対して切り刃１０′の摺動方向Ｂと略平行な軸線Ｓ回りに回動自在にしたもので、本発明の重量付加部材１４０を設けたことにより、バリカンヘッド１′が自重の影響を受けず、どのようなバリカンヘッド１′の傾きにおいてもその角度で釣り合いを維持できると共に、どのグリップ角度でもバリカンヘッド１′が本体グリップ２に対して自重の影響を受けずにスムーズに回動できるものであり、肌当て面７１′と切り刃１０′を肌にスムーズに追従させることができ、スムーズにカット動作を行うことができる。
【００７２】
ここで図２４（ａ）は下向き最大位置Ｐ１（本体グリップ２の水平状態においてバリカンヘッド１′が最も下方に傾いた位置）、図２４（ｂ）は中間位置Ｐ２をそれぞれ示している。このように本発明の重量付加手段は、上記のように１つの切り刃１０′を有するバリカンでも、毛を抜く脱毛装置や、頭髪を切断する理容器具や、顔の産毛を切断するトリマーなどにも適用できるものであり、体毛処理ヘッドＡを回動するものにおいて、自重の影響を受けずにスムーズに回動できるものであり、刃部を肌にスムーズに追従させることができ、上記と同様の効果がある。
【００７３】
また第８の実施の形態では駆動源となるモータＨを本体グリップ２側に設けてあるが、このように駆動源となるモータＨがヘッド側になくても上記と同様の効果がある。
【００７４】
前述の説明のように、本発明の重量付加手段は、特許文献２のように本体グリップ２に対して回動する体毛処理ヘッドＡを初期位置に戻すようにばねを設けたものではなく、体毛処理ヘッドＡのどのような角度でもその自重による影響を受けずに又は影響を少なくして、体毛処理ヘッドＡの傾きを維持できるものである。そこで、回動などの摩擦により体毛処理ヘッドＡが本体グリップ２に対して傾くのを防止するために特許文献２のようにばねを設けてもよい。この時、ばねは体毛処理ヘッドＡを支える必要がないので、ばねの剛性は非常に弱いもので設けることができ、体毛処理ヘッドＡの本体グリップ２に対する回動がスムーズになり、使い勝手がよく、複数の刃部があっても刃部が肌から浮くことがなく、各刃部の均等な押し付けが得られ、短く剃ることができる。
【図面の簡単な説明】
【００７５】
【図１】本発明の第１の実施の形態の電気かみそり全体を示す斜視図である。
【図２】同上の本体グリップを分解した斜視図である。
【図３】同上のシェービングヘッドの分解斜視図である。
【図４】同上の電気かみそりの正面図である。
【図５】同上の電気かみそりの側面図である。
【図６】図５のＹ−Ｙ線断面図である。
【図７】同上の動作を説明する概略側面図である。
【図８】同上の他の動作を説明する概略側面図である。
【図９】同上の第２の実施の形態の電気かみそり全体を示す斜視図である。
【図１０】同上の本体グリップを分解した斜視図である。
【図１１】同上のシェービングヘッドの分解斜視図である。
【図１２】同上の第３の実施の形態の電気かみそり全体を示す斜視図である。
【図１３】同上の動作を説明する概略側面図である。
【図１４】同上の第４の実施の形態の電気かみそり全体を示す斜視図である。
【図１５】同上の本体グリップを分解した斜視図である。
【図１６】同上の電気かみそりの正面図である。
【図１７】同上の動作を説明する概略側面図である。
【図１８】同上の他の動作を説明する概略側面図である。
【図１９】同上の第５の実施の形態の電気かみそりの動作を説明する概略側面図である。
【図２０】同上の第６の実施の形態の電気かみそりを示す斜視図である。
【図２１】同上の動作を説明する側面図である。
【図２２】同上の第７の実施の形態を示し、（ａ）は概略側面図、（ｂ）は要部の分解斜視図である。
【図２３】同上の第８の実施の形態のバリカンを示す斜視図である。
【図２４】（ａ）（ｂ）は同上の動作を説明する側面図である。
【符号の説明】
【００７６】
Ａ  体毛処理ヘッド  
１  シェービングヘッド
２  本体グリップ
１００  重量付加部材
【図１】
2006167213.tif 000003
【図２】
2006167213.tif 000004
【図３】
2006167213.tif 000005
【図４】
2006167213.tif 000006
【図５】
2006167213.tif 000007
【図６】
2006167213.tif 000008
【図７】
2006167213.tif 000009
【図８】
2006167213.tif 000010
【図９】
2006167213.tif 000011
【図１０】
2006167213.tif 000012
【図１１】
2006167213.tif 000013
【図１２】
2006167213.tif 000014
【図１３】
2006167213.tif 000015
【図１４】
2006167213.tif 000016
【図１５】
2006167213.tif 000017
【図１６】
2006167213.tif 000018
【図１７】
2006167213.tif 000019
【図１８】
2006167213.tif 000020
【図１９】
2006167213.tif 000021
【図２０】
2006167213.tif 000022
【図２１】
2006167213.tif 000023
【図２２】
2006167213.tif 000024
【図２３】
2006167213.tif 000025
【図２４】
2006167213.tif 000026